(57)【要約】【課題】大量の画像から所望の画像を容易に探し出すことができる画像プリント装置及び注文受付端末を提供する。【解決手段】画像プリント装置は、画像データを入力する入力部１１と、画像データを縮小したサムネイル画像を表示する表示部１０と、前記サムネイル画像の選択を含む印刷注文の入力を受け付ける受付部と、前記印刷注文に基づいて前記画像データを印刷するプリンタ１３とを備える。表示部１０は、前記サムネイル画像の一覧を表示する第１表示領域３０及び保留画像の一覧を表示する第２表示領域５０を有し、保留画像に対応するサムネイル画像を第１表示領域３０に表示するか否かの切り替え指示を受け付ける。【選択図】図１
2016004378.tif 000002
【特許請求の範囲】
【請求項１】
画像データを入力する入力部と、
前記画像データを縮小したサムネイル画像を表示する表示部と、
前記サムネイル画像の選択を含む印刷注文の入力を受け付ける受付部と、
前記印刷注文に基づいて前記画像データを印刷するプリンタと、
を備え、
前記表示部は、前記サムネイル画像の一覧を表示する第１表示領域、及び保留画像の一覧を表示する第２表示領域を有し、
前記保留画像に対応する前記サムネイル画像を前記第１表示領域に表示するか否かの切り替え指示を受け付けることを特徴とする画像プリント装置。
【請求項２】
前記入力部を介して入力された画像データから、画像サイズが所定値以下の画像、又はピンボケ画像を前記保留画像として検索し、前記第２表示領域に表示するよう制御する制御部をさらに備えることを特徴とする請求項１に記載の画像プリント装置。
【請求項３】
前記受付部は、前記第１表示領域に表示された各サムネイル画像について、保留画像に設定するか、又は保留を解除するかの指示を受け付けることを特徴とする請求項１又は２に記載の画像プリント装置。
【請求項４】
前記受付部は、前記保留画像の印刷注文を受け付けないことを特徴とする請求項１乃至３のいずれかに記載の画像プリント装置。
【請求項５】
前記表示部は、印刷注文された画像の一覧を表示する第３表示領域を有することを特徴とする請求項１乃至４のいずれかに記載の画像プリント装置。
【請求項６】
前記表示部は、複数ページに配置されたサムネイル画像を、ページ毎に切り替えて表示し、前記第３表示領域内の画像が選択された場合、選択された画像に対応するサムネイル画像が配置されたページを表示することを特徴とする請求項５に記載の画像プリント装置。
【請求項７】
前記表示部は、
前記第１表示領域を有する第１ディスプレイと、
前記第２表示領域及び第３表示領域を有する第２ディスプレイと、
を有することを特徴とする請求項５に記載の画像プリント装置。
【請求項８】
画像データを入力する入力部と、
前記画像データを縮小したサムネイル画像を表示する表示部と、
前記サムネイル画像の選択を含む印刷注文の入力を受け付ける受付部と、
前記印刷注文に基づいて前記画像データを外部へ送信する通信部と、
を備え、
前記表示部は、前記サムネイル画像の一覧を表示する第１表示領域、及び保留画像の一覧を表示する第２表示領域を有し、
前記保留画像に対応する前記サムネイル画像を前記第１表示領域に表示するか否かの切り替え指示を受け付けることを特徴とする注文受付端末。
【発明の詳細な説明】
【技術分野】
【０００１】
本発明は、利用者が所有する記憶媒体や携帯端末等に記憶されている画像データをプリント出力する画像プリント装置、及び画像データのプリント注文を受け付ける注文受付端末に関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データの画像をページ単位でサムネイル表示し、利用者に提示する。そして、利用者がプリントする画像を選択し、プリント枚数等を指定すると、画像プリント装置は画像をプリント出力する。
【０００３】
記憶媒体に大量の画像データが記憶されている場合、利用者はプリントを所望する画像を選択するために、ページの切り替えを何度も行い、大量のページを確認することになるため、所望の画像を探し出すのに非常に手間がかかっていた。
【先行技術文献】
【特許文献】
【０００４】
【特許文献１】特開２０１２−３５６８号公報
【発明の概要】
【発明が解決しようとする課題】
【０００５】
本発明は、上記従来の実状に鑑みてなされたものであり、大量の画像から所望の画像を容易に探し出すことができる画像プリント装置及び注文受付端末を提供することを課題とする。
【課題を解決するための手段】
【０００６】
本発明の一態様による画像プリント装置は、画像データを入力する入力部と、前記画像データを縮小したサムネイル画像を表示する表示部と、前記サムネイル画像の選択を含む印刷注文の入力を受け付ける受付部と、前記印刷注文に基づいて前記画像データを印刷するプリンタと、を備え、前記表示部は、前記サムネイル画像の一覧を表示する第１表示領域、及び保留画像の一覧を表示する第２表示領域を有し、前記保留画像に対応する前記サムネイル画像を前記第１表示領域に表示するか否かの切り替え指示を受け付けることを特徴とする。
【０００７】
本発明の一態様による画像プリント装置は、前記入力部を介して入力された画像データから、画像サイズが所定値以下の画像、又はピンボケ画像を前記保留画像として検索し、前記第２表示領域に表示するよう制御する制御部をさらに備えることを特徴とする。
【０００８】
本発明の一態様による画像プリント装置において、前記受付部は、前記第１表示領域に表示された各サムネイル画像について、保留画像に設定するか、又は保留を解除するかの指示を受け付けることを特徴とする。
【０００９】
本発明の一態様による画像プリント装置において、前記受付部は、前記保留画像の印刷注文を受け付けないことを特徴とする。
【００１０】
本発明の一態様による画像プリント装置において、前記表示部は、印刷注文された画像の一覧を表示する第３表示領域を有することを特徴とする。
【００１１】
本発明の一態様による画像プリント装置において、前記表示部は、複数ページに配置されたサムネイル画像を、ページ毎に切り替えて表示し、前記第３表示領域内の画像が選択された場合、選択された画像に対応するサムネイル画像が配置されたページを表示することを特徴とする。
【００１２】
本発明の一態様による画像プリント装置において、前記表示部は、前記第１表示領域を有する第１ディスプレイと、前記第２表示領域及び第３表示領域を有する第２ディスプレイと、を有することを特徴とする。
【００１３】
本発明の一態様による注文受付端末は、画像データを入力する入力部と、前記画像データを縮小したサムネイル画像を表示する表示部と、前記サムネイル画像の選択を含む印刷注文の入力を受け付ける受付部と、前記印刷注文に基づいて前記画像データを外部へ送信する通信部と、を備え、前記表示部は、前記サムネイル画像の一覧を表示する第１表示領域、及び保留画像の一覧を表示する第２表示領域を有し、前記保留画像に対応する前記サムネイル画像を前記第１表示領域に表示するか否かの切り替え指示を受け付けることを特徴とする。
【発明の効果】
【００１４】
本発明によれば、印刷に適さない画像や利用者が印刷を所望しない画像を保留画像とし、サムネイル画像の一覧を表示する表示領域において保留画像の表示／非表示を切り替えることができる。保留画像を非表示にすることで、表示されるサムネイル画像の数が減るため、所望の画像を容易に探し出すことができる。
【図面の簡単な説明】
【００１５】
【図１】本発明の第１の実施形態に係る画像プリント装置のブロック構成図である。
【図２】同第１の実施形態に係る画像プリント装置の概略斜視図である。
【図３】タッチパネルの表示画面の一例を示す図である。
【図４】保留画像の表示／非表示の切り替え例を示す図である。
【図５】保留画像を表示している場合の表示画面の一例を示す図である。
【図６】保留画像を非表示としている場合の表示画面の一例を示す図である。
【図７】同第１の実施形態に係る画像プリント処理を説明するフローチャートである。
【図８】本発明の第２の実施形態に係る画像プリント装置の概略斜視図である。
【図９】第１タッチパネルの表示画面の一例を示す図である。
【図１０】第２タッチパネルの表示画面の一例を示す図である。
【図１１】第１タッチパネルの表示画面の一例を示す図である。
【図１２】第２タッチパネルの表示画面の一例を示す図である。
【発明を実施するための形態】
【００１６】
以下、本発明の実施の形態を図面に基づいて説明する。
【００１７】
＜第１の実施形態＞
図１は第１の実施形態による画像プリント装置のブロック構成図であり、図２は画像プリント装置の概略斜視図である。図１に示すように、画像プリント装置は、タッチパネル（表示部、操作部）１０、データ入力部１１、課金部１２、プリンタ１３、ＣＰＵ（中央処理部）１４、ディスク装置（記憶部）１５、及びメインメモリ１６を有する。画像プリント装置の各部はバスを介して接続されている。
【００１８】
タッチパネル１０は、画像を含む情報を表示したり、利用者から各種指示の入力を受け付けたりする。例えば、タッチパネル１０は、利用者から、プリント出力する画像データの選択や、選択された画像データのプリント枚数指定などを受け付ける。図２に示すように、タッチパネル１０は、画像プリント装置の筐体１の上部に設けられ、ディスプレイ画面は略垂直に立った状態となっている。
【００１９】
データ入力部１１は、デジタルカメラ等で撮影した画像データが記憶された記憶媒体から画像データを読み取ることで、画像データの入力を受け付ける。データ入力部１１は、様々な記憶媒体に対応したデータ読取装置を有している。また、データ入力部１１は、赤外線通信又は無線通信により携帯端末から画像データの入力を受け付けることができる。図２に示すように、データ入力部１１は筐体１の上部、具体的には筐体１の天板１Ａとタッチパネル１０との間に設けられている。
【００２０】
図２に示すように、課金部１２は、筐体１の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、プリント枚数、単価、請求金額、投入金額、釣銭額等をレシートに印字して出力するレシートプリンタを有していてもよい。
【００２１】
プリンタ１３は、昇華型又はインクジェット型などの高解像度カラープリンタであり、注文内容に基づいて、画像データをプリントして出力する。プリンタ１３は筐体１内に収容されている。プリンタ１３は複数台設置されていてもよい。図２に示すように、筐体１の前面側には、透明な開閉扉２が開閉自在に設けられている。開閉扉２の裏面側には、プリンタ１３がプリント出力したプリント物が集積される集積部（図示せず）が設けられており、開閉扉２を開けると集積部に集積されたプリント物を取り出せるようになっている。
【００２２】
ディスク装置１５は、画像処理プログラム、制御プログラム、及び画像データに対して合成可能な素材画像データを格納する。ディスク装置１５は例えばハードディスクドライブである。
【００２３】
ＣＰＵ１４は、ディスク装置１５内の画像処理プログラムをメインメモリ１６にロードして、画像処理プログラムを実行する。画像処理プログラムの実行に伴い、メインメモリ１６には、入力された画像データや注文内容などを格納する領域が確保される。
【００２４】
また、ＣＰＵ１４は、ディスク装置１５内の制御プログラムをメインメモリ１６にロードし、制御プログラムを実行することで、タッチパネル１０、課金部１２及びプリンタ１３を制御する制御部１４０として機能する。
【００２５】
制御部１４０は、データ入力部１１を介して記憶媒体や携帯端末から画像データが入力されると、画像データを縮小したサムネイル画像をタッチパネル１０に表示する。図３に示すように、タッチパネル１０には、サムネイル画像の一覧を表示するサムネイル画像表示領域３０、注文画像の一覧を表示する注文画像表示領域４０、及び保留画像の一覧を表示する保留画像表示領域５０が設けられる。タッチパネル１０のディスプレイの大部分はサムネイル画像表示領域３０になっており、注文画像表示領域４０及び保留画像表示領域５０はタッチパネル１０の端部に並べて（図３では右端に上下に並べて）設けられる。
【００２６】
サムネイル画像表示領域３０には複数のサムネイル画像が表示される。データ入力部１１を介して入力された画像データの数が多い場合は、ページ切り替えボタン３１を押下（接触）してページを切り替えることで、全てのサムネイル画像を確認することができる。各サムネイル画像の両側部には拡大ボタン３２及び編集ボタン３３が設けられている。拡大ボタン３２を押下することで、このサムネイル画像を拡大表示することができる。編集ボタン３３を押下すると、タッチパネル１０の表示が、この画像を編集する編集画面に切り替わり、画像データに対して素材画像データを合成する等の画像編集加工が行えるようになっている。
【００２７】
各サムネイル画像の下部には、その画像のプリント枚数を指定するプリント枚数増減ボタン３４が設けられている。利用者はプリント枚数増減ボタン３４を押下し、各画像のプリント枚数を指定し、印刷注文を入力することができる。
【００２８】
１枚以上のプリント枚数が指定された画像は、利用者にプリント注文された注文画像として、注文画像表示領域４０に表示される。また、サムネイル画像表示領域３０に表示されているサムネイル画像をドラッグ操作により注文画像表示領域４０に移動させることで、この画像について１枚のプリント枚数を指定することもできる。
【００２９】
注文画像表示領域４０は、利用者により１枚以上のプリント枚数が指定された注文画像を表示する。注文画像表示領域４０内のスクロールバー４２を操作することで表示領域が移動し、全ての注文画像が確認できるようになっている。注文画像表示領域４０に表示されている注文画像を押下すると、この注文画像に対応するサムネイル画像が表示されるようにサムネイル画像表示領域３０の表示ページが切り替わる。プリント枚数増減ボタン３４を操作し、プリント枚数を０枚にすると、注文画像は注文画像表示領域４０から削除される。また、注文画像表示領域４０に表示されている注文画像をドラッグ操作によりサムネイル画像表示領域３０に移動させることで、注文画像表示領域４０から削除し、プリント枚数を０枚にすることもできる。
【００３０】
保留画像は、プリンタ１３でのプリント出力に適さない画像データの画像であり、例えば、画像サイズが所定値以下（長辺又は短辺が所定ピクセル以下）の画像や、ピントの合っていないピンボケ画像である。制御部１４０は、データ入力部１１を介して画像データが入力されると、このような保留画像を検索し、保留画像表示領域５０に表示する。保留画像表示領域５０内のスクロールバー５２を操作することで表示領域が移動し、全ての保留画像が確認できるようになっている。保留画像表示領域５０に表示されている保留画像を押下すると、この保留画像に対応するサムネイル画像が表示されるようにサムネイル画像表示領域３０の表示ページが切り替わる。
【００３１】
サムネイル画像表示領域３０において、保留画像に対応するサムネイル画像は、保留画像でないサムネイル画像と容易に区別がつくように、図３に示すように、周囲を黒くしたり、拡大ボタン３２、編集ボタン３３、プリント枚数増減ボタン３４を表示しないようにしたりする。プリント枚数増減ボタン３４を表示しないことで、保留画像のプリント注文は行えないようになっている。
【００３２】
サムネイル画像表示領域３０に表示されている（保留画像でない）サムネイル画像の上部には、その画像を個別に保留画像に設定する保留ボタン３５が設けられている。利用者が保留ボタン３５を押下すると、この画像は保留画像として保留画像表示領域５０に表示される。また、サムネイル画像表示領域３０において、保留画像に対応するサムネイル画像の上部には保留を解除する保留解除ボタン３６が設けられる。この保留解除ボタン３６を押下することで、この画像は保留画像でなくなり、保留画像表示領域５０から削除され、サムネイル画像表示領域３０では拡大ボタン３２、編集ボタン３３、及びプリント枚数増減ボタン３４が表示され、プリント注文が可能となる。図４に、保留ボタン３５、保留解除ボタン３６を押下することによる保留画像設定、保留解除の切り替えの一例を示す。
【００３３】
１枚以上のプリント枚数が指定されている画像については保留ボタン３５を表示しないようにしてもよい。これにより、プリント枚数を指定した注文画像の保留ボタン３５を誤って押下し、保留画像に設定してしまうことを防止できる。あるいはまた、１枚以上のプリント枚数が指定されている画像については、保留ボタン３５を押下しても「注文画像です」などのメッセージを表示し、保留画像に設定できないようにしてもよい。
【００３４】
サムネイル画像表示領域３０に表示されているサムネイル画像をドラッグ操作により保留画像表示領域５０に移動させることで、この画像を保留画像に設定できるようにしてもよい。また、保留画像表示領域５０に表示されている保留画像をドラッグ操作によりサムネイル画像表示領域３０に移動させることで、保留画像表示領域５０から削除し、保留を解除できるようにしてもよい。
【００３５】
保留画像表示領域５０には、保留画像に対応するサムネイル画像をサムネイル画像表示領域３０に表示するか否か切り替える切り替えボタン５４が設けられている。例えば図５、図６に示すように、切り替えボタン５４を押下する度に、サムネイル画像表示領域３０における保留画像に対応するサムネイル画像の表示／非表示が切り替わる。図５は保留画像を表示している画面の一例を示し、図６は保留画像を非表示としている画面の一例を示している。保留画像を表示している状態（図５）で「保留画像を隠す」と表示された切り替えボタン５４を押下すると、保留画像が非表示となる（図６）。一方、保留画像を非表示としている状態（図６）で「保留画像を表示」と表示された切り替えボタン５４を押下すると、保留画像が表示される（図５）。
【００３６】
保留画像に対応するサムネイル画像を非表示とすることで、サムネイル画像表示領域３０に表示されるサムネイル画像の数が減少する。そのため、データ入力部１１を介して大量の画像データが入力され、サムネイル画像表示領域３０に大量のサムネイル画像が表示される場合であっても、保留画像を非表示とすることで、サムネイル画像の表示数が減少し、プリントを所望する画像を選択するためのページ切り替え回数が少なくて済み、所望の画像を探し出す手間を軽減することができる。
【００３７】
また、制御部１４０は、画像サイズの小さい画像やピンボケ画像等のプリント出力に適さない画像を保留画像として検索（自動抽出）する。このような画像は、利用者がプリント注文する可能性が低い画像であるため、非表示とする方が、プリント注文操作においては効率的である。また、保留画像に対応するサムネイル画像をサムネイル画像表示領域３０に表示したり、保留を解除したりすることができるため、保留画像とみなされた画像についても利用者はプリント注文を行うことができる。
【００３８】
保留画像は、制御部１４０による自動抽出だけでなく、利用者が保留ボタン３５を押下することで個別に設定できる。例えば、保留画像を非表示にしている状態で、サムネイル画像の保留ボタン３５を押下すると、この画像はサムネイル画像表示領域３０から即座に消去される。そのため、利用者がプリント不要な画像について保留ボタン３５を順次押下していくことで、サムネイル画像の表示数は次第に減っていき、所望の画像をさらに容易に探し出すことができる。
【００３９】
上述したタッチパネル１０の表示制御は制御部１４０により行われる。
【００４０】
次に、図７に示すフローチャートを用いて、本実施形態に係る画像プリントの処理の流れを説明する。
【００４１】
（ステップＳ１０１）データ入力部１１が画像データの入力を受け付ける。
【００４２】
（ステップＳ１０２）制御部１４０が、入力された画像データから、画像サイズの小さい画像やピンボケ画像等の保留画像を検索する。
【００４３】
（ステップＳ１０３）タッチパネル１０のディスプレイに、サムネイル画像表示領域３０、注文画像表示領域４０及び保留画像表示領域５０が形成され、画像データを縮小したサムネイル画像がサムネイル画像表示領域３０に表示される。また、ステップＳ１０２で検索された保留画像が保留画像表示領域５０に表示される。
【００４４】
（ステップＳ１０４）サムネイル画像表示領域３０における、保留画像に対応するサムネイル画像の表示／非表示を切り替える場合はステップＳ１０５に進み、切り替えない場合はステップＳ１０６に進む。
【００４５】
（ステップＳ１０５）利用者が、保留画像表示領域５０内の切り替えボタン５４を押下することで、サムネイル画像表示領域３０における保留画像に対応するサムネイル画像の表示／非表示が切り替わる。
【００４６】
（ステップＳ１０６）利用者が、サムネイル画像表示領域３０に表示されているサムネイル画像からプリント出力する画像を選択し、プリント枚数増減ボタン３４を押して、プリント枚数を指定する。プリント枚数が１枚以上となったサムネイル画像は注文画像表示領域４０に追加される。保留画像に対応するサムネイル画像を非表示としている場合、サムネイル画像表示領域３０におけるサムネイル画像の表示数は少なくなっており、利用者は、プリントを所望する画像を容易に探し出すことができる。
【００４７】
利用者は、編集ボタン３３を押下し、タッチパネルの表示を編集画面に切り替え、画像編集加工を行うことができる。
【００４８】
また、利用者は、プリント出力を行わない画像の保留ボタン３５を押下し、この画像を保留画像に設定することができる。また、保留画像に対応するサムネイル画像がサムネイル画像表示領域３０に表示されている場合、利用者は、この画像の保留解除ボタン３６を押下することで、保留を解除することができる。
【００４９】
（ステップＳ１０７）プリントを所望する画像の選択、及びプリント枚数の指定が終了し、注文が完了した場合はステップＳ１０８に進む。注文を続ける場合はステップＳ１０４に戻る。
【００５０】
（ステップＳ１０８）利用者からの注文内容に基づく請求金額がタッチパネル１０に表示される。利用者が貨幣を投入すると、課金部１２は投入された貨幣を計数し、釣銭の出金やレシートの印字等を行う。
【００５１】
（ステップＳ１０９）制御部１４０が、プリンタ１３に、注文内容に基づく画像データのプリントを実行させる。
【００５２】
以上のように、本実施形態による画像プリント装置は、画像サイズの小さい画像やピンボケ画像等のプリント出力に適さない画像を保留画像として検索し、この保留画像に対応するサムネイル画像をタッチパネル１０のサムネイル画像表示領域３０において非表示にすることができる。保留画像に対応するサムネイル画像を非表示にすることで、表示されるサムネイル画像の数が減るため、画像プリント装置に記憶媒体や携帯端末から大量の画像データが入力された場合でも、所望の画像を容易に探し出すことができる。
【００５３】
上記第１の実施形態において、タッチパネル１０に、注文画像表示領域４０及び保留画像表示領域５０のうちいずれか一方のみを表示するようにしてもよい。また、注文画像表示領域４０及び保留画像表示領域５０の各々について表示／非表示を切り替えることができるようにしてもよい。なお、保留画像表示領域５０を非表示とする場合、切り替えボタン５４はタッチパネル１０上に別途作成される。
【００５４】
＜第２の実施形態＞
図８は第２の実施形態による画像プリント装置の概略斜視図である。本実施形態は、図１、２に示す第１の実施形態と比較して、筐体１の上部だけでなく、天板１Ａ部分にもタッチパネルが設けられている点が異なる。本実施形態では、天板１Ａ部分に設けられた利用者の手元側に位置するタッチパネルを第１タッチパネル１０Ａ、筐体１の上部に設けられたタッチパネルを第２タッチパネル１０Ｂとする。第１タッチパネル１０Ａへの入力操作を行い易いように、天板１Ａ及び第１タッチパネル１０Ａの画面は、手前側が低く奥側が高くなるようにやや傾斜している。図８において、図２に示す第１の実施形態と同一部分には同一符号を付して説明を省略する。
【００５５】
本実施形態では、画像プリント装置への画像データの入力方法選択画面（例えば、記憶媒体の使用、携帯端末からの赤外線通信、又はスマートフォンからの無線通信）、注意事項の表示画面、注文内容や請求金額の確認画面等の基本操作画面は第１タッチパネル１０Ａに表示される。第１タッチパネル１０Ａのサイズと第２タッチパネル１０Ｂのサイズは同程度である。第１タッチパネル１０Ａ及び第２タッチパネル１０Ｂの表示制御は制御部１４０により行われる。
【００５６】
データ入力部１１が画像データの入力を受け付けると、制御部１４０は、第１タッチパネル１０Ａにサムネイル画像表示領域３０を作成し、第２タッチパネル１０Ｂに注文画像表示領域４０及び保留画像表示領域５０を作成する。例えば、図９に示すように、第１タッチパネル１０Ａ全体にサムネイル画像表示領域３０が作成される。また、例えば、図１０に示すように、第２タッチパネル１０Ｂにおいて、注文画像表示領域４０及び保留画像表示領域５０が上下２段に配置される。
【００５７】
本実施形態では、上記第１の実施形態と比較して、注文画像表示領域４０及び保留画像表示領域５０の表示面積を大きくとることができ、注文画像及び保留画像が大きく表示される。そのため、どの画像が注文済みであるかを容易に確認することができる。また、保留画像がどの程度ピンボケしている画像であるか等を、画像を拡大表示しなくても、容易に確認することができる。
【００５８】
また、サムネイル画像表示領域３０が作成される第１タッチパネル１０Ａに、注文画像表示領域４０及び保留画像表示領域５０を作成する必要がないため、第１タッチパネル１０Ａのディスプレイ全体をサムネイル画像の表示に使用することができ、サムネイル画像が確認し易くなる。
【００５９】
利用者が、サムネイル画像表示領域３０に表示されているサムネイル画像からプリント出力する画像を選択し、プリント枚数増減ボタン３４を押してプリント枚数が１枚以上となると、この画像は注文画像表示領域４０に追加される。また、プリント枚数を０枚にすると、この画像は注文画像表示領域４０から削除される。注文画像表示領域４０内の各注文画像に対しプリント枚数増減ボタンを設けてもよい。
【００６０】
サムネイル画像表示領域３０において、各サムネイル画像の保留ボタン３５を押下すると、この画像が保留画像表示領域５０に追加される。また、保留解除ボタン３６（図４参照）を押下することで、保留を解除し、保留画像表示領域５０から削除することができる。保留画像表示領域５０内の各保留画像に対し保留解除ボタンを設けてもよい。
【００６１】
保留画像表示領域５０の切り替えボタン５４を押下すると、サムネイル画像表示領域３０における保留画像に対応するサムネイル画像の表示／非表示が切り替わる。切り替えボタン５４は第１タッチパネル１０Ａに設けてもよい。
【００６２】
図１１に示すように、第１タッチパネル１０Ａのサムネイル画像表示領域３０の側部に注文画像ドロップ領域Ｒ１及び保留画像ドロップ領域Ｒ２を設け、サムネイル画像のドラッグ操作により画像を注文画像や保留画像に設定できるようにしてもよい。例えば、サムネイル画像表示領域３０に表示されているサムネイル画像をドラッグ操作により注文画像ドロップ領域Ｒ１に移動させることで、この画像について１枚のプリント枚数を指定し、第２タッチパネル１０Ｂの注文画像表示領域４０に追加することができる。また、サムネイル画像表示領域３０に表示されているサムネイル画像をドラッグ操作により保留画像ドロップ領域Ｒ２に移動させることで、この画像を保留画像に設定できる。
【００６３】
また、図１２に示すように、第２タッチパネル１０Ｂに注文取消／保留解除領域Ｒ３を設け、注文画像表示領域４０／保留画像表示領域５０に表示されている注文画像／保留画像をドラッグ操作により注文取消／保留解除領域Ｒ３に移動させることで、注文画像のプリント枚数を０枚にして注文画像表示領域４０から削除したり、保留を解除して保留画像表示領域５０から削除したりしてもよい。
【００６４】
以上のように、本実施形態による画像プリント装置は、保留画像に対応するサムネイル画像を第１タッチパネル１０Ａのサムネイル画像表示領域３０において非表示にすることができる。保留画像に対応するサムネイル画像を非表示にすることで、表示されるサムネイル画像の数が減るため、画像プリント装置に記憶媒体や携帯端末から大量の画像データが入力された場合でも、所望の画像を容易に探し出すことができる。
【００６５】
また、注文画像及び保留画像を、サムネイル画像表示領域３０が作成される第１タッチパネル１０Ａとは別の第２タッチパネル１０Ｂに表示するため、注文画像及び保留画像を大きく表示することができ、どの画像が注文済みであるか、保留画像がどの程度ピンボケしている画像であるか等を容易に確認することができ、プリント注文に伴う利用者の手間を軽減することができる。
【００６６】
上記第１及び第２の実施形態では、筐体１内にプリンタ１３を備え、その場でプリント物を出力する画像プリント装置について説明したが、プリンタ１３を省略し、プリント注文の受け付けを行う注文受付端末としてもよい。この場合、注文受付端末には、プリント注文された画像データ及び注文内容を、有線又は無線ネットワークを介してプリンタサーバへ送信する通信部が設けられる。利用者は郵送等によってプリント物を受け取る。
【００６７】
上記第１の実施形態では、サムネイル画像表示領域３０に表示されているサムネイル画像をドラッグ操作（画面に触れたままなぞる）により注文画像表示領域４０や保留画像表示領域５０に移動させ、注文画像や保留画像とする例について説明したが、ドラッグ操作だけでなくフリック操作（画面はをはらう）としてもよい。図３に示すように注文画像表示領域４０及び保留画像表示領域５０が上下に並べられている場合、フリック操作ではサムネイル画像が利用者の意図しない領域に移動することがあり得るため、注文画像表示領域４０及び保留画像表示領域５０の一方をタッチパネル１０の右端、他方を左端に配置することが好ましい。同様に、上記第２の実施形態において、注文画像ドロップ領域Ｒ１及び保留画像ドロップ領域Ｒ２（図１１）の一方をタッチパネル１０Ａの右端、他方を左端に配置し、サムネイル画像のフリック操作により画像を注文画像や保留画像に設定できるようにしてもよい。
【００６８】
制御部１４０による保留画像の検索には、画像データのファイル名を用いてもよい。例えば、利用者が所有する端末から画像プリント装置へ画像データが転送される際に、端末側におけるデータ変換処理により、転送される画像データがプリント出力に適さないものとなる場合がある。このようなデータ変換処理では、所定の規則性を持ったファイル名が画像データに付され、このファイル名からプリント出力に適さない画像を検索することができる。
【００６９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７０】
１  筐体
１Ａ  天板
２  開閉扉
１０、１０Ａ、１０Ｂ  タッチパネル
１１  データ入力部
１２  課金部
１３  プリンタ
１４  ＣＰＵ
１５  ディスク装置
１６  メインメモリ
３０  サムネイル画像表示領域
４０  注文画像表示領域
５０  保留画像表示領域
５４  切り替えボタン
【図１】
2016004378.tif 000003
【図２】
2016004378.tif 000004
【図３】
2016004378.tif 000005
【図４】
2016004378.tif 000006
【図５】
2016004378.tif 000007
【図６】
2016004378.tif 000008
【図７】
2016004378.tif 000009
【図８】
2016004378.tif 000010
【図９】
2016004378.tif 000011
【図１０】
2016004378.tif 000012
【図１１】
2016004378.tif 000013
【図１２】
2016004378.tif 000014